(57)【特許請求の範囲】
【請求項１】
誘導標本体と反射体とを有し、誘導標本体は合成樹脂で成型されると共に凹部を有し、前記凹部に反射体が挿入されると共に、凹部の内周面が反射体の外周面に圧接され、もって凹部の内周面に反射体の外周面が挟持されて、反射体が誘導標本体に取付けられた視線誘導標であって、前記誘導標本体を、熱可塑性合成樹脂を使用して射出成型等により成型するに際し、凹部の内径を反射体の外径より僅かに大きくして成型し、次いでその成型直後の誘導標本体の凹部に反射体を挿入し、その後の冷却による熱可塑性合成樹脂の熱収縮によって凹部の内径を縮径させることにより、凹部の内周面を反射体の外周面に圧接させ、もって凹部の内周面に反射体の外周面を挟持させて、反射体を誘導標本体に取付けてなることを特徴とする視線誘導標。
【請求項２】
凹部の内周面に、径方向に凹む凹溝が形成されたことを特徴とする請求項１に記載の視線誘導標。
【請求項３】
反射体の表面一端部を殴打したときに、反射体の前記一端部が凹部の奥に押し込まれ、相対する他方の一端部が凹部から突出されるように、上端が反射体の裏面に当接された台座が凹部の底面より突出されていることを特徴とする請求項１に記載の視線誘導標。
【請求項４】
凹部を有する誘導標本体を、熱可塑性合成樹脂を使用して射出成型等により成型するに際し、凹部の内径を反射体の外径より僅かに大きくして成型し、次いでその成型直後の誘導標本体の凹部に反射体を挿入し、その後の冷却による熱可塑性合成樹脂の熱収縮によって凹部の内径を縮径させることにより、凹部の内周面を反射体の外周面に圧接させ、もって凹部の内周面に反射体の外周面を挟持させて、反射体を誘導標本体に取付けることを特徴とする視線誘導標の組立方法。
【発明の詳細な説明】
【０００１】
【発明の属する技術分野】
本発明は、道路の線形や中央線等を標示するために道路の路肩や中央分離帯、側壁、ガードレール等に設置され、又は雪国用のスノーポール等として設置される視線誘導標に関するものである。
【０００２】
【従来の技術】
従来、視線誘導標は、アルミダイカスト等の金属やポリカーボネート、ＡＢＳ樹脂、ＡＡＳ樹脂等の熱可塑性合成樹脂等からなる誘導標本体の正面、または正面及び背面に凹部が形成され、その凹部に反射体が挿入されて取付けられている。そして誘導標本体への反射体の取付構造としては、誘導標本体が金属からなるものにあっては、誘導標本体の凹部外周をプレス等でかしめてその凹部内周面を反射体の外周面に密着させることにより、反射体を誘導標本体に取付けるようにしたものがあり、又誘導標本体が熱可塑性合成樹脂等からなるものにあっては、誘導標本体の凹部内周面や凹部内に設けた台座と反射体とを超音波接着等により接着することにより、反射体を誘導標本体に取付けるようにしたものがある。
【０００３】
【発明が解決しようとする課題】
しかしながら上記の如く視線誘導標にあっては、プレス等によるかしめや超音波接着等による接着により、反射体を誘導標本体に取付けているために、プレスや超音波接着装置等の専用設備が必要であり、又取付作業も容易ではなかった。又、反射体が誘導標本体にかしめや接着により取付けられて容易に分離ができないことから、リサイクルが困難である。すなわち最近では廃棄時におけるリサイクルの要請が高まっており、誘導標本体と反射体とでは合成樹脂を使用した場合においても、反射体は反射性能を高めるため、誘導標本体は成形性、強度、コストを勘案し、一般には異なる種類の合成樹脂によりそれぞれ形成されるが、反射体と誘導標本体との分離が容易でないと、廃棄時に誘導標本体と反射体とをそれぞれ分別してリサイクルすることが困難である。
【０００４】
そこで本発明は、上記の如き問題点を解消し、反射体の取付作業が容易であり、また廃棄時には誘導標本体と反射体とを分別してリサイクルすることが可能な視線誘導標を提供せんとするものである。
【０００５】
【課題を解決するための手段】
上記目的を達成するために、本発明は次のような構成としている。
すなわちこの発明に係る視線誘導標は、誘導標本体と反射体とを有し、誘導標本体は合成樹脂で成型されると共に凹部を有し、前記凹部に反射体が挿入されると共に、凹部の内周面が反射体の外周面に圧接され、もって凹部の内周面に反射体の外周面が挟持されて、反射体が誘導標本体に取付けられた視線誘導標であって、前記誘導標本体を、熱可塑性合成樹脂を使用して射出成型等により成型するに際し、凹部の内径を反射体の外径より僅かに大きくして成型し、次いでその成型直後の誘導標本体の凹部に反射体を挿入し、その後の冷却による熱可塑性合成樹脂の熱収縮によって凹部の内径を縮径させることにより、凹部の内周面を反射体の外周面に圧接させ、もって凹部の内周面に反射体の外周面を挟持させて、反射体を誘導標本体に取付けてなることを特徴とするものである。
【０００６】
この発明によれば、誘導標本体の凹部の内周面に反射体の外周面が挟持されて、反射体が誘導標本体に取付けられ、且つ誘導標本体は合成樹脂よりなるので、凹部と反射体の外周面との間にマイナスのドライバー等を差し込んでこじる等により、反射体を誘導標本体から取り外すことができ、従って廃棄時には誘導標本体と反射体とをそれぞれ分別してリサイクルすることができる。
【０００７】
又、反射体を誘導標本体に取付けるには、凹部を有する誘導標本体を、熱可塑性合成樹脂を使用して射出成型等により成型するに際し、凹部の内径を反射体の外径より僅かに大きくして成型し、次いでその成型直後の誘導標本体の凹部に反射体を挿入し、その後の冷却による熱可塑性合成樹脂の熱収縮によって凹部の内径を縮径させることにより、凹部の内周面を反射体の外周面に圧接させ、もって凹部の内周面に反射体の外周面を挟持させて、反射体を誘導標本体に取付けるので、本発明によれば、反射体を取付けるための専用設備が不要であり、特に成型直後の誘導標本体の凹部に反射体を挿入して取付けるので、取付作業は極めて容易である。
【０００８】
なお、マイナスのドライバー等を差し込んでこじることにより、誘導標本体から反射体を取り外すようにする場合は、凹部の内周面に、径方向に凹む凹溝を形成しておけば、その凹溝にマイナスのドライバー等を差し込むことができるので、マイナスのドライバー等の差し込み作業が容易となり、反射体の取り外し作業も容易となる。
【０００９】
又、反射体の表面を殴打することにより、反射体を誘導標本体から取り外せるようにしてもよい。すなわち、反射体の表面一端部を殴打したときに、反射体の前記一端部が凹部の奥に押し込まれ、相対する他方の一端部が凹部から突出されるように、上端を反射体の裏面に当接される台座を凹部の底面より突出させてもよい。
【００１０】
かような台座は、殴打によって容易に倒れる細幅のリブや点在させた小径の突起群、殴打によって、反射体の一端部が奥に押し込まれる空間を確保するために一部が途切れたリング状のリブ等によって形成することができる。
【００１１】
本発明に係る視線誘導標は、道路の線形や中央線等を標示するために道路の路肩や中央分離帯、側壁、ガードレール等に設置されてもよいし、特に降雪地域においては、スノーポールの適宜箇所に取付けることにより、反射体による視線誘導効果を具備させたスノーポールとすることができる。
【００１２】
誘導標本体をスノーポール等の支柱に取付ける場合において、リサイクルを考慮すると、誘導標本体と支柱とを同一の材料から形成すれば、廃棄時に分別する必要がないので、誘導標本体を支柱に取り外し不能に取付けることができる。誘導標本体が支柱に取り外し不能に取付けられていても、誘導標本体から反射体を取り外すことができるので、リサイクル時の分別については問題はない。又誘導標本体と支柱とを異なる材料から形成する場合は、支柱に取り外し可能に取付ければ、リサイクル時に、誘導標本体を支柱より取り外し、さらに誘導標本体より反射体を取り外すことにより、全て分別してリサイクルすることができる。支柱は鋼管等の金属であってもよいが、リサイクルを考慮すると合成樹脂から形成するのが好ましい。支柱と誘導標本体とを同一の合成樹脂から形成すれば、廃棄時に分別する必要がないので最適であり、この場合、リサイクルが容易であり、又リサイクル時に有害物質の発生が少なく、且つ衝撃に対して強く、コスト安であるポリエチレンを使用するのが好ましい。
【００１３】
【発明の実施の形態】
次に、本発明の実施の形態について図面を参照し、具体的に説明する。
【００１４】
すなわち図１は本発明に係る視線誘導標であって、誘導標本体がスノーポールからなる支柱に取付けられた実施の一形態を示す正面図、図２は本発明に係る視線誘導標の実施の一形態を示す断面図、図３は本発明に係る視線誘導標の実施の他の形態を示す断面図、図４は本発明に係る視線誘導標の実施のさらに他の形態を示し、（イ）はその正面図、（ロ）は断面図、図５は本発明に用いられる誘導標本体の実施の一形態を示し、（イ）はその正面図、（ロ）は断面図、図６は本発明に用いられる誘導標本体の実施の他の形態を示し、（イ）はその正面図、（ロ）は断面図、図７は本発明に用いられる誘導標本体の実施のさらに他の形態を示し、（イ）はその正面図、（ロ）は断面図、図８は本発明に用いられる誘導標本体の実施のさらに他の形態を示し、（イ）はその正面図、（ロ）は断面図である。
【００１５】
図面において、１はスノーポールとしての筒状の支柱であり、２はこの支柱１に取付けられた誘導標本体であり、３はこの誘導標本体２に取付けられた反射体３である。
【００１６】
誘導標本体２は、合成樹脂を射出成型する等して形成されるものであって、反射体３を挿入するための凹部２１が前面に形成され、そしてその凹部２１には、内周面下部に内方に突出した段部２２と、内周面に径方向に向けて凹む凹溝２３と、底面より突出されたリング状の台座２４とが形成されている。
【００１７】
誘導標本体２は、前記の如く合成樹脂から射出成型等により成型され、使用される合成樹脂の種類は特に限定されず、ポリエチレンやＡＢＳ樹脂、ポリスチレン、ＡＡＳ樹脂、ポリプロピレン、メタクリル樹脂、ＥＶＡ樹脂、ポリアミド、ポリアセタール、ポリカーボネート、アクリル樹脂、塩化ビニル樹脂、ポリウレタン、熱可塑性ポリエステル等の熱可塑性合成樹脂やそれらに補強材を混入したもの等が適宜用いられるが、リサイクルが容易であり、又リサイクル時に有害物質の発生が少なく、且つ衝撃に対して強く、コスト安であり、さらに熱収縮率の大きいポリエチレンを使用するのが好ましい。
【００１８】
誘導標本体２の支柱１への取付けは、リサイクルを考慮すると、誘導標本体２と支柱１とを同一の材料から形成すれば、廃棄時に分別する必要がないので、誘導標本体２を支柱１に取り外し不能に取付けることができる。又誘導標本体２と支柱１とを異なる材料から形成する場合は、支柱１に取り外し可能に取付ければ、リサイクル時に、誘導標本体２を支柱１より取り外すことにより、分別してリサイクルすることができる。支柱１は鋼管等の金属であってもよいが、リサイクルを考慮すると合成樹脂から形成するのが好ましい。かように支柱１と誘導標本体２とを同一の合成樹脂から形成すれば、廃棄時に分別する必要がないので最適であり、この場合、前記した理由からポリエチレンを使用するのが好ましい。
【００１９】
なおいずれもポリエチレンを使用し、誘導標本体２を支柱１に取り外し不能に取付ける場合は、例えばボルトやピン等の取付部材を用いて取付けてもよいが、誘導標本体２の下部に多数の縦リブ２５を外面に設けた脚部２６を形成し、その脚部２６を支柱１内に挿入すると共に、誘導標本体２を回転させ、縦リブ２５と支柱１の内壁との摩擦によって生じる摩擦熱により縦リブ２５を溶融させ、もって支柱１の内壁に溶着することができる。
【００２０】
支柱１と誘導標本体２とをいずれもポリエチレンから形成する場合、使用するポリエチレンは、高密度、中密度、低密度のいずれのものであってもよい。しかしながら誘導標本体２と支柱１とに使用されるそれぞれのポリエチレンのメルトフローレートは、てきるだけ近い値のものを使用するのが好ましい。
【００２１】
誘導標本体２は一般に射出成型により成型され、支柱１は押出成型により成型されるが、一般的に、射出成型においては、成型性の点からメルトフローレートが４以上のより流動性の高いものが使用され、逆に射出成型においては、形状保持の点からメルトフローレートが４以下、一般には１以下の流動性の低いものが使用されるが、誘導標本体２と支柱１とを分別することなく粉砕、混合してリサイクルするに際して、使用したそれぞれのポリエチレンのメルトフローレートの違いが大きい場合は、その違いにより、得られるリサイクルペレットの品質は低下する。
【００２２】
従って、この品質低下を防ぐには、誘導標本体２と支柱１とについて、メルトフローレートの近い値のポリエチレンを使用するのが好ましい。この場合、射出成型においては、簡単な形状であれば低いメルトフローレートのものを使用しても成型性において大して問題にならないことから、誘導標本体２については、押出成型としての支柱１に使用されるポリエチレンのメルトフローレートに近づけたもの、すなわちメルトフローレートが４以下、好ましくは２以下のポリエチレンを使用するのが好ましい。
【００２３】
反射体３は、メタクリル樹脂やポリカーボネート等の合成樹脂やガラス等から形成され、適宜裏面にプリズム加工等がなされ、又は基板に反射シートが貼着される等して表面が反射面となされ、その反射面に照射された車両のヘッドライト等の光は、その反射面で光源方向に再帰反射するようになされた如きものである。
【００２４】
そしてこの反射体３は、前記誘導標本体２の凹部２１に挿入され、その裏面が段部２２及び台座２４の上端に当接されると共に外周面に凹部２１の内周面が圧接され、もって凹部２１の内周面に外周面が挟持されて、誘導標本体２に取付けられている。
【００２６】
反射体３を誘導標本体２に取付けるには、凹部２１を有する誘導標本体２を、熱可塑性合成樹脂を使用して射出成型等により成型するに際し、凹部２１の内径を反射体３の外径より僅かに大きくして成型し、次いでその成型直後の誘導標本体２の凹部２１に反射体３を挿入し、その後の冷却による熱可塑性合成樹脂の熱収縮によって凹部２１の内径を縮径させることにより、凹部２１の内周面を反射体３の外周面に圧接させ、もって凹部２１の内周面に反射体３の外周面を挟持させて、反射体３を誘導標本体２に取付けるようにする。この場合、収縮によって凹部２１の内周面が反射体３の外周面に圧接し、挟持するように、誘導標本体２に用いる熱可塑性合成樹脂の熱収縮率と反射体３の熱収縮率とを勘案して、凹部２１の内周面の内径と反射体３の外径とを設定する。
【００２７】
熱収縮を利用して反射体３を誘導標本体２に取付ける場合、例えば、反射体３に使用されるポリカーボネートやアクリル樹脂等の熱収縮率は５／１０００程度と小さいのに対して、誘導標本体２にポリエチレンを使用した場合、ポリエチレンの熱収縮率は２５／１０００程度と大きいため、誘導標本体２の凹部２１の内径を１０１ｍｍに設定しておくと、収縮完了時の内径はほぼ９８．５ｍｍとなるので、外径を１００ｍｍにした反射体３を成型直後の誘導標本体２の凹部２１に挿入すれば、その後の冷却による熱収縮によって、誘導標本体２の凹部２１の内径は最小で９８．５ｍｍまで縮径可能なので、外径１００ｍｍの反射体３の外周面に凹部２１の内周面を強く圧接させることができ、反射体３の外周面を凹部２１の内周面に挟持させることができる。
【００２８】
なお、反射体３が誘導標本体２から不必要に外れないように、図３に示される如く内周面の上縁やその下方の任意の位置に、反射体３の周囲を係止する突出部２７を周方向に沿って形成してもよく、又下方の任意の位置に突出部２７を形成する場合は、反射体３の外周に前記突出部２７が嵌入される溝部３１を周方向に適宜形成してもよい。さらに図４に示される如く不必要に回動しないように内周面に適宜間隔をおいて突条２８を形成し、反射体３に前記突条２８が嵌入される凹み部３２を形成してもよい。
【００２９】
かようにして誘導標本体２に取付けられた反射体３を、廃棄時に分別してリサイクル等するために、誘導標本体２から取り外す場合は、凹部２１に形成された凹溝２３にマイナスのドライバー等を差し込み、反射体３の一端部を持ち上げるようにしてこじれば、誘導標本体２は合成樹脂からなって弾性を有するので、凹部２１の内径がこじることによって拡径され、もって誘導標本体２から取り外すことができる。
【００３０】
又、反射体３の表面を殴打することにより、反射体３を誘導標本体２から取り外せるようにしてもよい。すなわち、反射体３の表面一端部を殴打したときに、反射体３の前記端部が凹部２１の奥に押し込まれ、相対する他方の端部が凹部２１から突出されるように、上端を反射体３の裏面に当接される台座２４を凹部２１の底面より突出させてもよい。
【００３１】
このような台座２４としては、殴打によって反射体３の一端部が奥に押し込まれる空間を確保するために図６に示される如き一部が途切れたリング状のリブや、又殴打によって容易に倒れたり折れ曲がるように、図７に示される如き斜め十字方向に形成した細幅のリブや、図８に示される如き点在させた小径の突起群、等によって形成することができる。
【００３２】
前記形態において、一個の反射体３が誘導標本体２に取付けられているが、誘導標本体２に走行車線側と対向車線側とにそれぞれ凹部２１を形成し、その各凹部２１に反射体３をそれぞれ取付けるようにしてもよい。又支柱１に誘導標本体２を取付ける場合は、複数個取付けてもよい。
【００３３】
【発明の効果】
本発明によれば、誘導標本体の凹部の内周面により反射体の外周面が挟持されて、反射体が誘導標本体に取付けられ、且つ誘導標本体は合成樹脂よりなるので、凹部と反射体の外周面との間にマイナスのドライバー等を差し込んでこじる等により、反射体を誘導標本体から取り外すことができ、従って廃棄時には誘導標本体と反射体とをそれぞれ分別してリサイクルすることができる。又、反射体を取付けるための専用設備が不要であり、特に成型直後の誘導標本体の凹部に反射体を挿入して取付けるので、取付作業は極めて容易である。
【図面の簡単な説明】
【図１】本発明に係る視線誘導標であって、誘導標本体がスノーポールからなる支柱に取付けられた実施の一形態を示す正面図である。
【図２】本発明に係る視線誘導標の実施の一形態を示す断面図である。
【図３】本発明に係る視線誘導標の実施の他の形態を示す断面図である。
【図４】本発明に係る視線誘導標の実施のさらに他の形態を示し、（イ）はその正面図、（ロ）は断面図である。
【図５】本発明に用いられる誘導標本体の実施の一形態を示し、（イ）はその正面図、（ロ）は断面図である。
【図６】本発明に用いられる誘導標本体の実施の他の形態を示し、（イ）はその正面図、（ロ）は断面図である。
【図７】本発明に用いられる誘導標本体の実施のさらに他の形態を示し、（イ）はその正面図、（ロ）は断面図である。
【図８】本発明に用いられる誘導標本体の実施のさらに他の形態を示し、（イ）はその正面図、（ロ）は断面図である。
【符号の説明】
１    支柱
２    誘導標本体
２１  凹部
２２  段部
２３  凹溝
２４  台座
２５  縦リブ
２６  脚部
２７  突出部
２８  突条
３    反射体
３１  溝部
３２  凹み部
【図１】
0003768737.tif 000002
【図２】
0003768737.tif 000003
【図３】
0003768737.tif 000004
【図４】
0003768737.tif 000005
【図５】
0003768737.tif 000006
【図６】
0003768737.tif 000007
【図７】
0003768737.tif 000008
【図８】
0003768737.tif 000009